(57)【特許請求の範囲】
【請求項１】
可動枠体側の前後部に所定間隔を存して入口側板と出口側板を並設し、該両側板間に支持した回転自在な扱胴を、上記可動枠体を介して固定枠体に上下揺動自在に支持してなるコンバインの可動扱室において、上記両側板に回動アームの先端側をそれぞれ複数の螺子により取着し、かつ当該回動アームの直下に位置する固定枠体の該当側面部位に中空パイプ材を立姿状に固着すると共に、上記固定枠体の近傍位置に扱胴の駆動ギヤケースを配設し、回動アームの基端側を支持する固定プレートを、当該駆動ギヤケースと中空パイプ材の双方間に亘って着脱自在に螺設したことを特徴とするコンバインにおける可動扱室の支持構造。
【発明の詳細な説明】
【０００１】
【発明の属する技術分野】
本発明は、コンバインの脱穀部を形成する可動扱室に係り、特に、開閉作動する可動枠体の回動基端側の剛性を保持して、変形、撓み等を伴うことなく可動扱室を支持することができるコンバインにおける可動扱室の支持構造に関するものである。
【０００２】
【従来の技術】
従来、立毛穀稈を刈取って脱穀処理するコンバインにおいては、円筒形の脱穀シリンダの外周に多数の脱穀処理歯を周設した構成の扱胴を、扱室内で回転駆動させて脱穀処理するように構成されているが、当該構成の扱室では、長時間に亘る脱穀作業で扱胴に排藁屑が絡みついたり、扱室下方に張設した受網に目詰まりが生じ易く、脱穀処理の効率を低下させてしまい、扱室内の点検、保守を行う場合にも扱胴あるいは受網の取外し、再組込み等の煩わしい分解組立て作業を伴うものであった。
【０００３】
そこで、上下揺動する可動枠体と固定枠体に扱室を上下に分割形成し、かつ可動枠体側に扱胴を回転自在に支持させて、点検、保守作業時に扱胴とともに可動枠体を固定枠体から上方に開放可能とした可動扱室が近年において提案されているが、このものでは前記した不具合を改善して点検、保守時の作業性を向上できるものの、重量のある扱胴を設けた可動枠体を回動アームを介して固定枠体に軸支するようになっているため、長期に亘る可動枠体の繰返しの開閉作動により回動アームの基端側と固定枠体との連結部位に変形、撓み等の構造上の歪みを生じ易く、脱穀部において連繋する各機構間の誤作動や脱穀精度の維持等に少なからず影響を及ぼす、という改善の余地を残すものであった。
【０００４】
【発明が解決しようとする課題】
本発明は、上記の如き実状に鑑み可動扱室の改善を目指す研究、開発の過程で創案されたものであって、その目的とするところは、回動アームの基端側における固定枠体および可動枠体の剛性を十分に確保して、変形、撓み等を誘発することのない扱胴の支持構造とすることができるコンバインにおける可動扱室の支持構造を提供しようとするものである。
【０００５】
【課題を解決するための手段】
上記の課題を解決するため、本発明が採用した技術的手段は、可動枠体側の前後部に所定間隔を存して入口側板と出口側板を並設し、該両側板間に支持した回転自在な扱胴を、上記可動枠体を介して固定枠体に上下揺動自在に支持してなるコンバインの可動扱室において、上記両側板に回動アームの先端側をそれぞれ複数の螺子により取着し、かつ当該回動アームの直下に位置する固定枠体の該当側面部位に中空パイプ材を立姿状に固着すると共に、上記固定枠体の近傍位置に扱胴の駆動ギヤケースを配設し、回動アームの基端側を支持する固定プレートを、当該駆動ギヤケースと中空パイプ材の双方間に亘って着脱自在に螺設したことを特徴とするものである。
【０００６】
【発明の実施の形態】
本発明の構成を、図面に示した一実施例について詳細に説明する。
図１および図２において、１はコンバインの機体上に設けられる脱穀部、２は揺動選別部であって、該脱穀部１は機体前方に設けた図示しない刈取搬送部の後方に配設され、また揺動選別部２は脱穀部１の下方に設けられており、刈取搬送部から後送される刈取穀稈を脱穀部１に形成した穀稈供給口１ａに供給し、可動扱室３内の扱胴４で脱穀処理した後、受網５を介して漏下した穀粒および夾雑物は、揺動棚６の揺動流板７に落下して穀粒はクリンプ網８を介して下方に更に漏下する一方、夾雑物は唐箕９およびターボファン１０の圧風で後方のストローラック１１に送られ、該ストローラック１１上の夾雑物は吸引ファン１２の吸引作用を受けて排塵口１３から機外後方へ放出されるようになっていると共に、上記揺動選別部２の上方でかつ脱穀部１の後方には、機体の一側前方から他側後方に臨ませて排藁搬送チェン１４´を巻回した排藁搬送装置１４が後傾状に横架されており、機体前方から刈取搬送部を介して搬送される刈取穀稈の穂先側を脱穀部１内に介入させたまま、その株元側をフィードチェン１５と挟持レール１６で後送し、上記排藁搬送装置１４に継送される排藁を図示しない排藁カッター装置への落し込みと機外への連続放出とに切替継送するように構成されている。
【０００７】
上記可動扱室３は、図３および図４に示すように、カバーケース１７の両側面に入口側板１８ａと出口側板１８ｂを所定間隔を存して並設してなる可動枠体１９と、内縁２０ａを扱胴４の外周に沿って円弧状に形成してなる固定枠体２０とから形成されており、上記可動枠体１９内には両側板１８ａ、１８ｂ間を貫通する回転軸２１を介して扱胴４が回転自在に軸支されていると共に、上記固定枠体２０の上部一側には、可動枠体１９の回動基端側を軸支する固定支点軸２２が軸架されており、図３の二点鎖線で示すように、当該固定支点軸２２に基端側を軸支した回動アーム２３、２３を介して、扱胴４および排藁搬送装置１４ともに可動枠体１９を上下揺動開閉自在に支持する構成となっている。
【０００８】
ここで、前記可動枠体１９と固定枠体２０との間に介装した回動アーム２３、２３の取付け構造について説明すると、図５および図６に示すように、回動アーム２３は、固定支点軸２２に挿通する筒状基端部２４と、その一側縁から円弧状に一体に延出するアーム部２５で構成され、該アーム部２５の先端側の両側縁には、所定間隔を存して取付け孔２６、２６…が回動方向と直交して穿設されていると共に、上記アーム部２５本体は、肉薄部２７、２７…をアーム外周縁および取付け孔２６、２６間を残してリブ状の骨子をなす形状に構成されており、アーム自体の剛性を確保しつつ軽量化を配慮した構造となっている。
【０００９】
また、入口側板１８ａおよび出口側板１８ｂは、図６および図７に示すように、離間対向する一対の平板材２８、２８により中空部２９を形成した二重板構造を有し、各回動アーム２３、２３の先端側を、それぞれ両側板１８ａ、１８ｂの中空部２９に介入させて、螺子３０、３０…を各側板１８ａ、１８ｂの表裏から回動アーム２３の取付け孔２６、２６…を貫通して締結することにより、当該各回動アーム２３、２３を側板１８ａ、１８ｂ内で圧着固定するように構成されていると共に、前記固定支点軸２２には、これに外嵌した支持パイプ３１に回動アーム２３の筒状基端部２４が挿通されており、更に上記支持パイプ３１の端部を平板状の固定プレート３２に挿通支持するようになっている。
【００１０】
一方、前記固定枠体２０側の近傍位置には、図示しないエンジンからの駆動力をベルト機構３３を介して扱胴４に伝達する駆動ギヤケース３４が配設され、かつ回動アーム２３の直下に位置する当該固定枠体２０の側面部位に中空パイプ材３５が立姿状に固着されている。そして上記固定プレート３２の下端部を駆動ギヤケース３４の上面に螺着し、また当該固定プレート３２の側縁部を中空パイプ材３５に螺着して、各部材３４、３５の双方間に亘って固定プレート３２を着脱自在に固定する構造となっている。
【００１１】
なお、３６は駆動ギヤケース３４からの駆動力を固定支点軸２２に伝達するベルトプーリであって、出口側板１８ｂ側に配設した図示しない扱胴駆動機構を固定支点軸２２の回転力で駆動するものである。また、３７は入口側板１８ａおよび出口側板１８ｂの各中空部２９から突出する回動アーム２３、２３の中途部に螺着した補強板であって、かつ各側板１８ａ、１８ｂまで延出する当該補強板３７の余長面は、回動アーム２３の先端側近傍に位置する各側板１８ａ、１８ｂの外側面に位置する平板材２８に溶着されて、上記両側板１８ａ、１８ｂの中空部２９に回動アーム２３の先端側を介入させた際に、各側板１８ａ、１８ｂの表裏面および回動アーム２３の中途部に形成した取付け孔２６、２６…に補強板３７を螺子３０、３０…により共締めして、回動アーム２３と各側板１８ａ、１８ｂとの螺着位置の補強を行うようになっている。
【００１２】
叙上の如き構成において、脱穀部１の穀稈供給口１ａから可動扱室３内に供給された刈取穀稈の穂先側は、その株元側をフィードチェン１５により搬送挟持されたまま扱胴４で脱穀処理され、漏下した穀粒および夾雑物は受網５を介して揺動選別部２で所要の選別処理を施されると共に、脱穀処理後の排藁はフィードチェン１５から排藁搬送装置１４に継送され、図示しない排藁カッター装置へ落し込まれたり、あるいは上記排藁搬送装置１４の搬送終端側から機外へ連続放出されることになる。
【００１３】
上述のような刈取搬送から脱穀処理を経て排藁搬送に至る一連の作業中において、扱胴４に排藁屑が絡み付いたり、可動扱室３下方に張設した受網５に目詰まりが生じた場合に、可動枠体１９を固定支点軸２２を基点として上動操作すると、フィードチェン１５側から可動扱室３が開放されて、可動扱室３内の扱胴４を含む周辺機構の点検、保守を容易に行うことができる。
【００１４】
ここで、上記可動扱室３の開閉作動においては、回動アーム２３、２３を介して支持される可動枠体１９の総重量が固定支点軸２２に全てかかることになるが、当該固定支点軸２２を軸支する固定プレート３２は、その下端部を駆動ギヤケース３４の上面に螺着し、かつ当該固定プレート３２の側縁部を固定枠体２０側に立設した中空パイプ材３５の双方間に亘って固定されているので、回動アーム２３の基端側における変形、撓み等を誘発することなく、重量のある扱胴を含む可動枠体１９を強固に支持することができる。
【００１５】
【発明の効果】
これを要するに本発明は、可動枠体側の前後部に所定間隔を存して入口側板と出口側板を並設し、該両側板間に支持した回転自在な扱胴を、上記可動枠体を介して固定枠体に上下揺動自在に支持してなるコンバインの可動扱室において、上記両側板に回動アームの先端側をそれぞれ複数の螺子により取着し、かつ当該回動アームの直下に位置する固定枠体の該当側面部位に中空パイプ材を立姿状に固着すると共に、上記固定枠体の近傍位置に扱胴の駆動ギヤケースを配設し、回動アームの基端側を支持する固定プレートを、当該駆動ギヤケースと中空パイプ材の双方間に亘って着脱自在に螺設したから、回動アームの基端側における変形、撓み等を誘発することなく、剛性の高い扱胴の駆動ギヤケースと中空パイプ材の双方で、重量のある扱胴を強固に支持することができ、可動扱室の組立て精度および円滑な開閉作動を長期に亘って維持し得て、点検、保守の作業効率の向上と円滑な脱穀搬送作動とを両立することができる、という極めて有用な新規的効果を奏するものである。
【図面の簡単な説明】
【図１】脱穀部の要部斜視図である。
【図２】脱穀部の各部の動作を示す作用説明図である。
【図３】脱穀部の一部省略正面図である。
【図４】扱胴の支持状態を示す要部平面図である。
【図５】（ａ）は回動アームの全体平面図である。
（ｂ）は同上正面図である。
（ｃ）は同上側面図である。
【図６】（ａ）は回動アーム、固定支点軸および固定プレートの構成を示す要部側面図である。
（ｂ）は同上平面図である。
（ｃ）は同上正面図である。
【図７】可動枠体の入り口側板と回動アームとの取付け状態を示す要部平面図である。
【符号の説明】
３      可動扱室
４      扱胴
１８ａ  入口側板
１８ｂ  出口側板
１９    可動枠体
２０    固定枠体
２３    回動アーム
３２    固定プレート
３４    駆動ギヤケース
３５    中空パイプ材
【図１】
0003657103.tif 000002
【図２】
0003657103.tif 000003
【図３】
0003657103.tif 000004
【図４】
0003657103.tif 000005
【図５】
0003657103.tif 000006
【図６】
0003657103.tif 000007
【図７】
0003657103.tif 000008